(57)【要約】【課題】マグネシウム・ニッケル系合金薄膜などの希土類金属の水素化物を含む調光ミラー層を適用し、構造が簡単で、精度が良く、動作の信頼性に優れるなどの特徴を有する光デバイスを提供する。【解決手段】光が通行可能なプリズム（基体）１に対して、光が入射される入射部２および出射される出射部３，４と、鏡面膜と透明膜になるように物性変換する調光ミラー層５とを設ける。調光ミラー層５が鏡面膜に物性変換されたときは、入射部２から入射した光が鏡面膜にて反射して出射部３に至り、調光ミラー層５が透明膜に物性変換されたときは、光が透明膜を透過して出射部４に至る。【選択図】  図１
2004258398.tif 000002
【特許請求の範囲】
【請求項１】
光の入射部および出射部を備えた基体に、
鏡面膜と透明膜の少なくとも一方になるように物性変換する希土類金属の水素化物を含む調光ミラー層を設け、
前記調光ミラー層が鏡面膜に物性変換されたときは、入射部から入射した光が鏡面膜にて反射して出射部に至り、該調光ミラー層が透明膜に物性変換されたときは、光が透明膜を透過して出射部に至ることを特徴とする光デバイス。
【請求項２】
前記調光ミラー層は、印加電圧を制御することにより、透明膜から鏡面膜に又は鏡面膜から透明膜に物性変換する構成であることを特徴とする請求項１記載の光デバイス。
【請求項３】
前記調光ミラー層は、印加電圧の大きさを制御することにより透過率及び反射率が変化する構成であることを特徴とする請求項１又は２記載の光デバイス。
【請求項４】
前記基体がプリズムからなることを特徴とする請求項１〜３のいずれか１に記載の光デバイス。
【請求項５】
前記プリズムの入射部および出射部の少なくとも一方に集光レンズ部を備えたことを特徴とする請求項４記載の光デバイス。
【請求項６】
前記基体が光経路となるフェル−ルを取り付けたセルからなることを特徴とする請求項１〜３のいずれか１に記載の光デバイス。
【請求項７】
前記基体が光導波路を形成したセルからなることを特徴とする請求項１〜３のいずれか１に記載の光デバイス。
【請求項８】
前記基体を複数個組み合わせてなり、少なくとも１つの入射部と、各調光ミラー層へ印加する電圧を制御することにより形成される複数の光経路と、複数の出射部とを設けたことを特徴とする請求項１〜７のいずれか１に記載の光デバイス。
【請求項９】
入射部と出射部とを結ぶ光経路の切り換え部に前記調光ミラー層が配設され、印加する電圧を制御して該調光ミラー層を鏡面膜から透明膜に又は透明膜から鏡面膜に物性変換して光経路を切り換える光スイッチとしたことを特徴とする請求項１〜８のいずれか１に記載の光デバイス。
【請求項１０】
入射部と出射部とを結ぶ光経路の切り換え部に前記調光ミラー層が配設され、印加する電圧を制御して該調光ミラー層を鏡面膜から透明膜に又は透明膜から鏡面膜に物性変換して光経路を切り換えることにより、前記出射部から出射する光によって表示される表示面を切り換え可能とした表示装置であることを特徴とする請求項１〜８のいずれか１に記載の光デバイス。
【請求項１１】
入射部と出射部とを結ぶ光経路の分岐部に前記調光ミラー層が配設された分岐器であることを特徴とする請求項１〜８のいずれか１に記載の光デバイス。
【発明の詳細な説明】
【０００１】
【発明の属する技術分野】
本発明は光スイッチ、分岐器（減衰器）などの光デバイスに関し、特に、マグネシウム・ニッケル系合金薄膜などの希土類金属の水素化物の薄膜を用いた光デバイスに関する。
【０００２】
【従来の技術】
１９９６年に希土類金属の水素化物からなる薄膜が、鏡の状態から光を透過させる透明な状態に物性変換する性質を有することが知られるようになり、その後、マグネシウム・ニッケル系合金薄膜が金属鏡面膜と透明膜とに変換することが、２００１年５月１４日米国発行のＡＰＰＬＩＥＤ  ＰＨＹＳＩＣＳ  ＬＥＴＴＥＲＳ  ＶＯＬＵＭＥ７８  ＮＵＭＢＥＲ２０  にて明らかにされ、さらに、米国特許出願公開ＵＳ２００２／００４４７１７Ａ１号として公開されている。また、マグネシウム・ニッケル系合金薄膜の構造を調製することにより、電解質を用いて鏡面状態と透明状態とに電気的に制御できることも知られている（非特許文献２参照）。
【０００３】
【特許文献１】
米国特許出願公開ＵＳ２００２／００４４７１７Ａ１号明細書
【非特許文献１】
ＡＰＰＬＩＥＤ  ＰＨＹＳＩＣＳ  ＬＥＴＴＥＲＳ  ＶＯＬＵＭＥ７８  ＮＵＭＢＥＲ２０、２００１年５月１４日
【非特許文献２】
「光学特性に優れた調光ミラー薄膜材料を開発」、独立行政法人産業技術総合研究所、２００２年１２月１７日発表、インターネット（ＵＲＬ：ｈｔｔｐ：／／ｗｗｗ．ａｉｓｔ．ｇｏ．ｊｐ／ａｉｓｔ＿ｊ／ｐｒｅｓｓ＿ｒｅｌｅａｓｅ／ｐｒ２００２／ｐｒ２００２１２１７／ｐｒ２００２１２１７．ｈｔｍｌ）
【０００４】
【発明が解決しようとする課題】
しかしながら、上記した調光ミラー材料は、現在のところ、実現性ある用途としては、建物の窓ガラスあるいは自動車の窓ガラスとしての用途が検討されているのみである。すなわち、鏡面状態とすることによって外部からの太陽光を遮蔽する機能をもたせることで、省エネルギー効果を企図したものであるが、窓ガラス以外で実現性のある用途は未だ提供されていない。
【０００５】
本発明は上記した点に鑑みなされたものであり、希土類金属の水素化物を含む薄膜を調光ミラー層として用いた新規なる光デバイスであって、構造が簡単で、精度が良く、動作の信頼性に優れるなどの特徴を有する光デバイスを提供し、もって調光ミラー材料の新たな用途を提供することを課題とする。
【０００６】
【課題を解決するための手段】
上記した課題を解決するため、請求項１記載の本発明では、光の入射部および出射部を備えた基体に、
鏡面膜と透明膜の少なくとも一方になるように物性変換する希土類金属の水素化物を含む調光ミラー層を設け、
前記調光ミラー層が鏡面膜に物性変換されたときは、入射部から入射した光が鏡面膜にて反射して出射部に至り、該調光ミラー層が透明膜に物性変換されたときは、光が透明膜を透過して出射部に至ることを特徴とする光デバイスを提供する。
請求項２記載の本発明では、前記調光ミラー層は、印加電圧を制御することにより、透明膜から鏡面膜に又は鏡面膜から透明膜に物性変換する構成であることを特徴とする請求項１記載の光デバイスを提供する。
請求項３記載の本発明では、前記調光ミラー層は、印加電圧の大きさを制御することにより透過率及び反射率が変化する構成であることを特徴とする請求項１又は２記載の光デバイスを提供する。
請求項４記載の本発明では、前記基体がプリズムからなることを特徴とする請求項１〜３のいずれか１に記載の光デバイスを提供する。
請求項５記載の本発明では、前記プリズムの入射部および出射部の少なくとも一方に集光レンズ部を備えたことを特徴とする請求項４記載の光デバイスを提供する。
請求項６記載の本発明では、前記基体が光経路となるフェル−ルを取り付けたセルからなることを特徴とする請求項１〜３のいずれか１に記載の光デバイスを提供する。
請求項７記載の本発明では、前記基体が光導波路を形成したセルからなることを特徴とする請求項１〜３のいずれか１に記載の光デバイスを提供する。
請求項８記載の本発明では、前記基体を複数個組み合わせてなり、少なくとも１つの入射部と、各調光ミラー層へ印加する電圧を制御することにより形成される複数の光経路と、複数の出射部とを設けたことを特徴とする請求項１〜７のいずれか１に記載の光デバイスを提供する。
請求項９記載の本発明では、入射部と出射部とを結ぶ光経路の切り換え部に前記調光ミラー層が配設され、印加する電圧を制御して該調光ミラー層を鏡面膜から透明膜に又は透明膜から鏡面膜に物性変換して光経路を切り換える光スイッチとしたことを特徴とする請求項１〜８のいずれか１に記載の光デバイスを提供する。
請求項１０記載の本発明では、入射部と出射部とを結ぶ光経路の切り換え部に前記調光ミラー層が配設され、印加する電圧を制御して該調光ミラー層を鏡面膜から透明膜に又は透明膜から鏡面膜に物性変換して光経路を切り換えることにより、前記出射部から出射する光によって表示される表示面を切り換え可能とした表示装置であることを特徴とする請求項１〜８のいずれか１に記載の光デバイスを提供する。
請求項１１記載の本発明では、入射部と出射部とを結ぶ光経路の分岐部に前記調光ミラー層が配設された分岐器であることを特徴とする請求項１〜８のいずれか１に記載の光デバイスを提供する。
【０００７】
【発明の実施の形態】
以下、図面に示した実施形態に基づいて本発明を更に詳しく説明する。
本発明の光デバイスは、光が通行可能な基体に対して、光が入射される入射部および出射される出射部と、鏡面膜と透明膜の少なくとも一方になるように物性変換する希土類金属の水素化物を含む調光ミラー層とを設け、この調光ミラー層が鏡面膜に物性変換されたときは、入射部から入射した光が鏡面膜にて反射して出射部に至り、該調光ミラー層が透明膜に物性変換されたときは、光が透明膜を透過して出射部に至るものである。
【０００８】
先ず、図１に基づき本発明の第１の実施形態に係る光デバイスを説明する。この光デバイスは、透明なガラスや樹脂などからなる四角柱形状のプリズム１からなる基体に対して、入射部２および２個所の出射部３，４と、調光ミラー層５とを設けたものである。
より詳細には、このプリズム１は、２つの三角柱形状のもを、斜面同士を付き合わせて形成され、該斜面に、調光ミラー層５を設けたものである。そして、プリズム１のいずれかの面に電極（図示せず）を設け、該電極と調光ミラー層５とを電気的に接続することにより、調光ミラー層５に対して電圧を印加可能としたものである。調光ミラー層５としては、例えば、上記した非特許文献２に開示されたもの、すなわち、希土類金属の水素化物からなる薄膜であるマグネシウム・ニッケル系合金薄膜に、電解質層を組み合わせたものを用いることができる。
【０００９】
かかる光デバイスにおいては、調光ミラー層５が鏡面膜に物性変換すると、入射した光が鏡面膜にて反射して出射部３に至り、透明膜に物性変換すると、入射した光が透明膜を透過して出射部４に至る。また、印加する電圧の大きさを制御すればその透過率及び反射率を変化させることができる。
したがって、調光ミラー層５を設けたプリズム１に対して、鏡面膜と透明膜とになるように電圧の印加方向を切り換え制御してスイッチングすることにより、光経路を切り換え、２個所の出射部３，４のいずれから光が出射するかで信号が切り換えられる光スイッチが構成される。
一方、出射部３，４から出射する光によって何らかの表示を行うディスプレイやプロジェクターに用いた場合には、プリズム１の２個所の出射部３，４のいずれから光が出射するかで表示が切り換えられる表示装置とすることができる。
なお、図２に示すように、必要に応じて、プリズム１の出射部３，４に集光レンズ部３ａ，４ａを備えるようにしても良い。また、図示しないが、入射部２にも集光レンズ部を設けても良い。
【００１０】
上記実施形態においては、基体をプリズム１から構成し、このプリズム１に対して、入射部２、出射部３，４および調光ミラー層５を設けたが、図３に示すように、光経路８ａを備え、光ファイバー６を接続したフェル−ル７が差し込まれるセル８から基体を構成しても良い。図３に示した態様では、光経路８ａがＴ字状に形成され、それぞれに対応してフェルール７が接続されており、光経路８ａの交差部を斜めに横切って調光ミラー層５が設けられている。これにより、矢印方向から入射する光は、調光ミラー層５へ印加する電圧を制御することにより、透明膜に変換した場合には直進し、鏡面膜に変換した場合には、約９０度方向を転換して出射部に至ることになる。なお、基体としては、図４に示したように、光導波路９をＴ字状に形成してなるセル１０から構成し、図３と同様に、その交差部に、斜めに横切る調光ミラー層５を配設した構造とすることもできる。
【００１１】
図１〜図４に示した各態様の場合、例えば、図５に示すように、プリズム１などの基体を複数個組み合わせて、複数の出力チャンネルを形成するようにしても良い。すなわち、入射部２から入射した光を、各プリズム１に配置した調光ミラー層５を制御することにより、そのまま直進させて出射部４から出射させたり、任意のプリズム１における直交方向の出射部３から出射させたりすることができる。例えば、図５の左側のプリズム１に設けられた調光ミラー層５を透明膜に制御し、右側のプリズム１に設けられた調光ミラー層５を鏡面膜に制御した場合には、入射部２から入射した光は、左側のプリズム１を直進した後、右側のプリズム１に至り、右側の調光ミラー層５において直交方向に反射され、該右側のプリズム１に形成された出射部３から出射する。
【００１２】
図６は、本発明の第２の実施形態に係る光デバイスである。
この実施形態は、図１に示したプリズム１を多数組み合わせてなる多チャンネルの光スイッチとしたものである。
この光スイッチは、スイッチング制御を行うことで、１つのプリズム１からの光が、いずれかのプリズム１に設けた調光ミラー層５により透過又は反射されて、信号が切り換えられる。すなわち、プリズム１が縦横でＭ個とＮ個とすると、Ｍ個の入力チャンネルで、Ｎ個の出力チャンネルの光スイッチとなる。
【００１３】
図７は、本発明の第３の実施形態に係る光デバイスである。
この実施形態は、光の入射側に縦に配列されるプリズム１１として、斜め４５度に奥行き方向に傾斜した入射部を形成する傾斜面１１ａを有し、平面からみた際には、図７（ｂ）に示したように、入射側を形成する傾斜面１１ａの辺が隣接する左右辺間に直角で交わり、出射側の辺が斜め４５度で交わる台形に形成され、側面からみた際には、図７（ｃ）に示したように、入射側を形成する端面１１ａの辺が隣接する上下辺間で斜め４５度で交わり、出射側の辺が直角で交わる台形に形成された角柱形状のものを用い、このプリズム１１に対して、図７（ｂ）に示したように、平面からみて平行四辺形に形成された角柱形状のプリズム１２を隣接して配置している。そして、プリズム１１及びプリズム１２の各傾斜面１１ａ，１２ａに、調光ミラー層５を設けている。
【００１４】
これにより、入射した光は、プリズム１１の傾斜面１１ａの調光ミラー層５が鏡面膜の状態では、下方に反射され、透明膜の状態では反射されずに直進する。プリズム１１の傾斜面１１ａを直進して通過した後、隣接するプリズム１２の傾斜面１２ａに設けられた調光ミラー層５が鏡面膜状態の場合には、光は前方に反射する。すなわち、本実施形態の場合には、各プリズム１１，１２の傾斜面１１ａ，１２ａに設けられる調光ミラー層５への印加電圧の制御により、光の出射方向を三次元に制御可能な多チャンネルの光スイッチとすることができる。
【００１５】
図８は、本発明の第４の実施形態に係る光デバイスである。
この実施形態の光スイッチは、それぞれ、光経路となる光ファイバー１５を接続した複数の多芯フェル−ル１６を取り付け、かつ、光導波路１７を有するセル１８から基体を構成したものであり、図３で示した態様の変形である。
すなわち、方形状のセル１８を複数個横に並べ、各セル１８には、直進方向と直交方向とに光導波路１７を形成し、その交差部に調光ミラー層２４〜２６を設けたものである。従って、かかる光スイッチにおいては、調光ミラー層２４〜２６に印加する電圧を適宜に制御し、スイッチングを行うことで、入射部１９から入射した光を、任意の出射部２０〜２３を介して出射させることができる。例えば、調光ミラー層２４〜２６の全てを透明膜に変換した場合には、入射部１９から入射した光は直進し、出射部２３から出射させるように制御でき、入射側から１番目に配置された調光ミラー層２４を透明膜に、２番目に配置された調光ミラー層２５を鏡面膜に、それぞれ変換した場合には、該調光ミラー層２５により反射され、入射側から２番目のセル１８に形成された出射部２１から出射させるように制御できる。
【００１６】
図９は、本発明の第５の実施形態に係る光デバイスである。
この実施形態の光デバイスは、多数のプリズム２７に設けたそれぞれの出射部から出射させる光の色彩を制御することにより、ディスプレイとしたものである。
このディスプレイを構成する各プリズム２７は、図１０（ａ）に示したように、三角形の上面がテーパ状に傾斜してなる三角柱形状のプリズム片２８を３つ組み合わせて構成される。各プリズム片２８は、例えば、次のように形成する。すなわち、図１０（ｂ），（ｃ）に示したように、テーパ状の上面に調光ミラー層３０を設け、３つの側面のうちの１つについては、全面に第１の絶縁層３１を形成する。他の２つの側面と三角形に形成された底面については、図１０（ｃ）に示したように、これらを左右に２つに区分する第２の絶縁層３２を形成する。第２の絶縁層３２により２つに区分される領域に電極３３，３４を形成する。そして、第２の絶縁層３２によって区分された底面のそれぞれに、通電線３５，３６を接続する。通電線３５，３６を介して印加される電圧の印加方向を制御することにより、調光ミラー層３０が鏡面膜となったり、透明膜となったりする。
【００１７】
プリズム片２８を３つ組み合わせてなるプリズム２７を、図９に示したように多数組み合わせ、プリズム２７の集合体からなるディスプレイが形成される。
このディスプレイの周囲の６箇所に、Ｒ（赤）、Ｂ（青）、Ｇ（緑）の３色の光源３７を配置し、各光源３７からの光を各プリズム２７に対して照射する。この際、各プリズム２７に設けられた調光ミラー層３０を、印加電圧を制御することにより、透明膜としたり反射膜としたりすることができるため、表示される色彩を種々に調整することが可能となる。なお、各プリズム２７の組み合わせ数は任意であり、それにより、ディスプレイ自体の形状も種々の形状とすることができる。また、光源３７の位置も限定されるものではない。
【００１８】
図１１は、本発明の第６の実施形態に係る光デバイスである。
この実施形態においては、基体を構成するセル４０に直線状の第１の光導波路４１を形成すると共に、第１の光導波路４１に一部を隣接させて第２及び第３の２つの光導波路４２，４３を形成して分岐器を構成したものである。第１の光導波路４１と第２の光導波路４２との隣接部には、第１の調光ミラー層４４が介在配置され、第１の光導波路４１と第３の光導波路４３との隣接部には、第２の調光ミラー層４５が介在配置されている。
【００１９】
ここで、光導波路は、近接して配置されている場合には、一方の光導波路から進入した光は、隣接する他方の光導波路に進入するという性質を有する。従って、第１の光導波路４１の一端４１ａから光を入射すると、第２及び第３の２つの光導波路４２，４３に進入し、各光導波路４２，４３の端部から光が出射しようとする。この際、例えば、第１の調光ミラー層４４が鏡面膜となるように制御し、第２の調光ミラー層４５が透明膜となるように制御すれば、第１の光導波路４１を通過した光は、第２の調光ミラー層４５を通過して、第３の光導波路４３を経由して出射する。また、第１及び第２の調光ミラー層４４，４５を共に透明膜に変換すれば、第２及び第３の光導波路４２，４３を経由して２カ所から光が出射する。
なお、光の入射方向を逆にし、第２及び第３の光導波路４２，４３の端部から光を入射させ、第１の光導波路４１を経由して出射させる構成とすることにより、結合器（光カップラ）とすることもできる。
【００２０】
また、調光ミラー層４４，４５は、印加する電圧の大きさによって、鏡面膜と透明膜との間の中間状態を維持できるという性質を有する。従って、印加する電圧を制御することにより、光の透過率及び反射率を制御することができる。このため、上記の分岐器において、各調光ミラー層４４，４５の光の透過率を制御することにより、減衰器（アッテネータ）として用いることができる。
この点は、上記各実施形態の構成においても同様であり、各実施形態で用いた調光ミラー層に供給する印加電圧の大きさを制御して、光を減衰させることが可能である。
【００２１】
以上、述べた光デバイスによると、次のような利点がある。
すなわち、近年の光通信用キーコンポーネントとしての光スイッチは、波長多重化技術の導入などに伴い、高密度化や多チャンネル化が要求されている。
従来の光スイッチは、例えば、特開平１１−２９５６２３号公報に示すように、光ファイバー先端のフェル−ルを移動して位置決めしてスイッチングを行うなどして機械的に光路を切り換える機械型のものである。
また、ミラーの角度を変化させて、光の反射方向を制御するミラー型光スイッチもある。
【００２２】
しかし、これら従来の光スイッチは、フェル−ルを移動させたり、ミラーの角度を変化させるなど、空間内で何かを動かす可動部を設けて、機能を果たそうとするものであり、構造的に複雑であり、可動部があるため、情報伝達ロスにも繋がり精度が落ち、故障も生じ易い。また、何らかの駆動手段が必要であるため、経済的に不利であると共に、耐久性にも落ちる。特に、多数の入力部に対して多数の出力部を有する多チャンネルのものでは、可動部が多くなるため、構造がより複雑化して、容易には形成できない。
【００２３】
これに対して、本構成の光スイッチ、ディスプレイおよび分岐器などの光デバイスは、プリズム１やセル８などの基体に設けた調光ミラー層の特性を利用して、該調光ミラー層を鏡面膜と透明膜とに選択的に物性変換させることで、出力する信号を切り換えたり、出射部に設けられた表示面を切り換えたり、あるいは、入射部と出射部とを結ぶ光経路の分岐方向を容易に切り換えたり、減衰させたりすることができ、空間内で何かを動かす可動部がない。
【００２４】
このため、構造的に簡単であり、精度に優れ、情報伝達ロスも少ない。また、故障も生じ難く、機械的な駆動手段が全く不要であるため、小型化を図れると共に、経済的に優れ、また耐久性にも優れている。特に、可動部がないため、従来製造が困難であった多チャンネルの光デバイスを容易に形成できる利点がある。
【００２５】
【発明の効果】
本発明の光デバイスは、プリズムやセルなどの基体に設けたマグネシウム・ニッケル系合金薄膜などの希土類金属の水素化物を含む調光ミラー層の特性を利用して、印加電圧を制御するのみで光経路の切り換えを容易に行うことができ、光経路を切り換えるに当たって空間内で何かを動かす機械的可動部がなく、構造的に簡単であり、精度に優れ、情報伝達ロスも少なく、故障も生じ難い。また、小型化を図り易く、経済的に優れると共に、耐久性にも優れている。また、調光ミラー層に対する供給電圧を制御することにより、容易に光を減衰させることもでき、種々の用途の光デバイスとして有用である。
【図面の簡単な説明】
【図１】図１は、本発明の第１の実施形態に係る光デバイスを説明するための概略図である。
【図２】図２は、同上の実施形態に係る光デバイスの別の例を説明するための概略図である。
【図３】図３は、同上の実施形態に係る光デバイスの別の例を説明するための概略図である。
【図４】図４は、同上の実施形態に係る光デバイスの別の例を説明するための概略図である。
【図５】図５は、同上の実施形態に係る光デバイスの別の例を説明するための概略図である。
【図６】図６は、本発明の第２の実施形態に係る光デバイスを説明するための概略図である。
【図７】図７は、本発明の第３の実施形態に係る光デバイスを説明するための概略図である。
【図８】図８は、本発明の第４の実施形態に係る光デバイスを説明するための概略的な斜視図である。
【図９】図９は、本発明の第５の実施形態に係る光デバイスを説明するための概略図である。
【図１０】図１０（ａ）は、上記第５の実施形態に係る光デバイスを構成するプリズムの構造を示す図であり、図１０（ｂ）は該プリズムを構成するプリズム片の構造を示す図であり、図１０（ｃ）は（ｂ）の展開図である。
【図１１】図１１は、本発明の第６の実施形態に係る光デバイスを説明するための概略図である。
【符号の説明】
１  プリズム
２  入射部
３  出射部
４  出射部
５  調光ミラー層
６  光ファイバー
７  フェル−ル
８  セル
９  光導波路
１０  セル
１１，１２  プリズム
１３  プリズム
１４  プリズム
１５  光ファイバー
１６  多芯フェル−ル
１７  光導波路
１８  セル
１９  入射部
２０〜２３  出射部
２４〜２６  調光ミラー層
２７  プリズム
２８  プリズム片
３０  調光ミラー層
４１，４２，４３  光導波路
４４，４５  調光ミラー層
【図１】
2004258398.tif 000003
【図２】
2004258398.tif 000004
【図３】
2004258398.tif 000005
【図４】
2004258398.tif 000006
【図５】
2004258398.tif 000007
【図６】
2004258398.tif 000008
【図７】
2004258398.tif 000009
【図８】
2004258398.tif 000010
【図９】
2004258398.tif 000011
【図１０】
2004258398.tif 000012
【図１１】
2004258398.tif 000013